(57)【要約】【課題】釣糸に対する錘の固定状態で、糸を中心として確実に一直線上に固定する。【解決手段】錘本体１と、本体の両側に突出する先端先細り状の一対のガイド軸２，３と、前記各ガイド軸の外周を包囲し、本体の両端に嵌合する一対のキャップ４，５とを備え、一方のキャップの中心孔１２を通じて釣糸１４を本体及びガイド軸の外周に沿わせ、他方のキャップの中心孔１２を通じて釣糸１４を通し、次いでキャップを本体の両端に嵌合することで、錘を釣糸に沿って固定するようにした釣用錘において、本体の外周にはその長手方向に沿って糸通し溝８を形成するとともに、ガイド軸の溝に面する側に平坦化したガイド面９を形成した。【選択図】      図２
0003107801.tif 000002
【実用新案登録請求の範囲】
【請求項１】
錘本体と、前記本体の両側に突出する先端先細り状の一対のガイド軸と、前記各ガイド軸の外周を包囲し、本体の両端に嵌合する一対のキャップとを備え、一方のキャップの中心孔を通じて釣糸を錘本体及びガイド軸の外周に沿わせ、他方のキャップの中心孔を通じて釣糸を通し、次いで前記キャップを前記本体の両端に嵌合することで、錘を釣糸に沿って固定するようにした釣用錘において、
前記錘本体の外周にはその長手方向に沿って前記釣糸導入用の糸通し溝を形成するとともに、前記ガイド軸の前記溝に面する側に平坦化したガイド面を形成したことを特徴とする釣用錘。
【請求項２】
前記錘本体の両側中心を貫通して前記ガイド軸の挿通孔が開口されてなり、前記挿通孔は非真円状であるとともに、前記ガイド軸の挿通部を前記挿通孔に密に挿通させる非真円形状とし、ガイド軸が錘本体に挿通固定された状態で前記ガイド面が前記糸通し溝に向けた状態で回り止め状態に位置決めされることを特徴とする請求項１記載の釣用錘。
【請求項３】
前記キャップのうち、少なくとも一方の外形を砲弾型としたことを特徴とする請求項１又は２記載の釣用錘。
【請求項４】
前記錘本体は、タングステン又はタングステンの合金よりなることを特徴とする請求項１乃至３のいずれか１項記載の釣用錘。
【考案の詳細な説明】
【技術分野】
【０００１】
本考案は、釣糸に簡単かつ確実に固定でき、水中への沈下、及び水上への浮揚抵抗が少なく、環境にも優しい釣用錘に関する。
【背景技術】
【０００２】
魚釣をする場合、通常は仕掛を水中に落すために、錘を取付ける。従来では取付の容易さから、鉛製の板状錘、またはガン玉と呼ばれる鉛製のつぶし錘を使用することが多かった。しかしながら、仕掛が根掛りなどで水中に放置された場合、鉛による環境汚染が問題となった。
そこで、鉛に替えて比較的比重の重いタングステン製の錘が開発されている。しかしながら、この錘にあっては、その重さがせいぜい０．５ｇ〜１．０ｇと、小形のものであるため、取付が困難であり、またその取付構造において、水中への沈下抵抗や、水上への浮揚抵抗が大である問題があった。
【０００３】
また、このような点を改善するため、下記特許文献１に示す錘が開発されている。このものは、錘本体と、錘本体の両側に突出する一対のガイド軸及び、各ガイド軸の外周を包囲し、本体の両端に嵌合する一対のキャップとを備え、一方のキャップの中心に明けられた孔を通じて釣糸を錘本体及びガイド軸の外周に沿わせ、次いで他方のキャップに開口された孔を通じて釣糸を通し、次いで両キャップを本体の両端に嵌合することで、錘を釣糸に沿って固定するようにしている。そして、この構造においては、錘本体の外周に釣糸を導入する溝が切られていることにより、錘との結合部において、釣糸は極端に屈曲されることなく、かつ錘本体の両側において、釣糸はガイド軸とキャップとの間に挟み込まれ、その摩擦力により、強固に固定される。
【特許文献１】特開２０００−１６６４４８号公報
【考案の開示】
【考案が解決しようとする課題】
【０００４】
しかし、この構造においては、ガイド軸が先細り状の丸棒形をなしているため、糸を通した後、キャップを嵌合した状態で、この嵌合位置の糸が必ずしも溝位置の糸と同一線上となることはなく、溝位置の糸に対して左右に捻れてしまう場合があり、結果的に錘の取付姿勢が釣糸に対し傾き、錘の固定位置を挟んで釣糸が一直線とはならないことが多く、センターぶれや捻れなどの発生確率が高かった。
【０００５】
本考案は、以上の課題を解決するものであり、その目的とするところは、釣糸に対する錘の固定状態で、釣糸を中心として確実に一直線上に固定できるようにした釣用錘を提供するものである。
【課題を解決するための手段】
【０００６】
前記目的を達成するため、本考案は、錘本体１と、前記本体の両側に突出する先端先細り状の一対のガイド軸２、３と、前記各ガイド軸の外周を包囲し、本体の両端に嵌合する一対のキャップ４、５とを備え、一方のキャップの中心に明けられた挿通孔１２を通じて釣糸１４を錘本体１及びガイド軸２、３の外周に沿わせ、他方のキャップに開口された挿通孔１２を通じて釣糸１４を通し、次いで前記キャップ４、５を前記本体１の両端に嵌合することで、錘を釣糸１４に沿って固定するようにした釣用錘において、前記錘本体１の外周にはその長手方向に沿って前記釣糸導入用の糸通し溝８を形成するとともに、前記ガイド軸の前記溝に面する側に平坦化したガイド面９を形成したことを特徴とするものである。
【０００７】
請求項２の考案では、前記錘本体１の両側中心を貫通して前記ガイド軸２、３の挿通孔７が開口されてなり、前記挿通孔７は非真円状であるとともに、前記ガイド軸２、３の挿通基部１０を前記挿通孔７に密に挿通させる非真円形状とし、ガイド軸２、３が錘本体１に挿通固定された状態で前記ガイド面９が前記糸通し溝８に向けた状態で回り止め状態に位置決めされることを特徴とするものである。
【０００８】
請求項３の考案では、前記キャップのうち、少なくとも一方の外形を砲弾型としたことを特徴とする。
【０００９】
請求項４の考案では、前記錘本体１は、タングステン又はタングステンの合金よりなることを特徴とする。
【考案の効果】
【００１０】
以上の構成にあっては、ガイド軸２、３の先端に形成された平坦なガイド面９が釣糸１４に対する安定設置面となるため、キャップ４、５を嵌合した状態では釣糸１４は一直線状になり、センターぶれや捻れなどの発生確率を低く押えることができる。
【００１１】
請求項２の考案では、ガイド軸２、３を錘本体１に嵌合した時点で、錘本体１の糸通し溝８とガイド軸のガイド面９とが一意的に位置決めされ、その嵌合組み付け作業が容易である。
【００１２】
請求項３の考案では錘の水中投下時における沈下抵抗や、引上げ時における浮揚抵抗を小さくできる。
【考案を実施するための最良の形態】
【００１３】
以下、本考案の最良の実施の形態につき添付図面を参照して説明する。図１は本考案に係る釣用錘の側及び平断面における分解図及びＡ−Ａ線、Ｂ−Ｂ線における断面図、図２は同錘の釣糸に対する組立手順を示す斜視図である。
【００１４】
まず図１において、釣用錘はほぼ俵型をしたタングステン又はその合金よりなる錘本体１と、錘本体１の左右（又は上下）に突設された一対のガイド軸２，３と、錘本体１の長手方向両端に嵌合するキャップ４，５とから構成されている。
【００１５】
なお、図１においては、本体１に対してガイド軸２，３を分離して描いているが、実際には本体１に対してガイド軸３，４は予め連結されており、したがって販売時にはガイド軸付本体１とキャップ４，５とがセット販売され、またその重さは０．５ｇ，０．７ｇ１．０ｇ程度でありこれに応じた寸法となっている。
【００１６】
本体１は、ＭＩＭ成型法によって作られたものであり、タングステン粉末とナイロン樹脂を混合造粒し、インジェクション成型機で加硫しつつ射出成型し、脱脂後焼結過程を経て完成したもので、筒形をなし、その長手方向両側に先細りとなるテーパ６を形成しているとともに、この各テーパ６の中心に前記ガイド軸２の基部を嵌合固定するための挿通孔７を開口している。また、錘本体１の外周にはその長手方向両側に沿って一対の糸通し溝８が切欠き形成されている。
【００１７】
前記ガイド軸２，３の本体１からの突出部は先端側に向けて先細り状であって、先端部の一面には水平に切取ったガイド面９が形成されている。また、前記挿通孔７は円形の一部を切取った変断面形状であり、これに対応して前記ガイド軸２，３の挿通基部１０は同一の外形、すなわち丸棒の一側部を水平に切取った変断面形状に形成されており、これによって挿通基部１０を本体１に嵌合した状態で、一意的に前記ガイド面９を前記糸通し溝８と同一面側に位置決めするようになっている。
【００１８】
前記各キャップ４，５は軟質の合成樹脂射出成形体からなる砲弾型またはそれに類する曲面形状の外形をなし、その内側には前記本体１のテーパ６に応じたテーパ１１及びテーパの１１の中心に糸通し孔１２を開口したものである。
【００１９】
以上の錘を釣糸に装着するには、図２（ａ）に示すように、上下のキャップ４，５を釣糸１４に対向した状態で挿通する。このとき、内側テーパ１１をガイドとして糸通し孔１２に挿通することができるため、糸通し作業は簡単に行える。
【００２０】
次に（ｂ）に示すように、本体１を両キャップ４，５間に位置させ、釣糸１４を糸通し溝８に嵌るように位置させる。釣糸１４がピンと張られている状態では、ガイド軸２，３のガイド面９がその上下延長上に位置する。
【００２１】
この状態から（ｃ）に示すように、本体１を下部側キャップ５に嵌合する。嵌合するには、矢印に示すように、両者を相対的に押込む。この後、釣糸１４の下部側を引張ることで釣糸１４は、キャップ５の内部で尤も安定位置である下部側ガイド軸３のガイド面９に位置し糸通し溝８と同一線上に保持された状態でキャップ５を弾性変形しつつキャブ５の内面とガイド軸３との間に安定した状態に摩擦保持される。
【００２２】
次いで、（ｄ）に示すように上部側キャップ４を同様の要領で本体１の上部側に嵌合すれば、本体１の上下をキャップ４，５で覆った形となり、錘の取付が完了する。
取付状態で、錘の長手方向は釣糸１４を中心としてその張力方向と完全に平行であり、捻れたり傾いて取付けられることは全くないものとなる。
また、得られた錘はキャップ４，５を冠することにより流線型となり、錘の水中投下時における沈下抵抗や、引上げ時における浮揚抵抗を小さくできることも言うまでもない。  なお以上の実施形態では、本体１の断面形状を真円としているが、多角形、楕円、蒲鉾型、パイ型など各種断面形状をとることができる。
【図面の簡単な説明】
【００２３】
【図１】本考案に係る釣用錘の側及び平断面における分解図及びＡ−Ａ線、Ｂ−Ｂ線における断面図である。
【図２】（ａ）〜（ｄ）は同錘を釣糸に組立てる手順を示す斜視図である。
【符号の説明】
【００２４】
１  錘本体
２，３  ガイド軸
４，５  キャップ
６，１１  テーパ
７  挿通孔
８  糸通し溝
９  ガイド面
１０  ガイド軸の挿通基部
１２  糸通し孔
１４  釣糸
【図１】
0003107801.tif 000003
【図２】
0003107801.tif 000004